(57)【特許請求の範囲】
【請求項１】
第１及び第２の番組を受信し受信信号を出力する受信手段と、
前記受信信号を入力して前記第１及び第２の番組の開始時間、番組名及び番組内容に関する情報を含む番組情報であって開始時間の早いものから並ぶように構成された番組情報を取得する番組情報取得手段と、
前記番組情報取得手段により取得された前記第１の番組の番組名又は番組名及び番組内容と、前記第２の番組の番組名又は番組名及び番組内容が同じである場合に、前記第１の番組と前記第２の番組とが隣に並ぶように前記番組情報を並び替えて出力するよう処理する番組情報出力手段とを備えたことを特徴とする番組情報処理装置。
【請求項２】
請求項１記載において、
前記番組情報を格納する番組情報メモリを備え、
前記番組情報出力手段は、前記番組情報取得手段により取得された前記第１の番組の番組名又は番組名及び番組内容と前記第２の番組の番組名又は番組名及び番組内容が同じである場合に、前記第１及び第２の番組の開始時間に関係なく、前記第１の番組と前記第２の番組とが隣に並ぶように前記番組情報を並び替えて前記番組情報メモリに格納し、格納された番組情報を出力するよう処理することを特徴とする番組情報処理装置。
【請求項３】
第１及び第２の番組を受信し受信信号を出力する受信手段と、
前記受信信号を入力して前記第１及び第２の番組の開始時間、番組名及び番組内容に関する情報を含む番組情報であって開始時間の早いものから並び且つ前記第１及び第２の番組の番組名又は番組名及び番組内容が線分で区切られて異なる欄に表示される表形式で構成された番組情報を取得する番組情報取得手段と、
前記番組情報取得手段により取得された前記第１の番組の番組名又は番組名及び番組内容と、前記第２の番組の番組名又は番組名及び番組内容が同じである場合に、前記第１の番組と前記第２の番組とが隣に並ぶように前記番組情報を並び替えるとともに、前記第１及び第２の番組の番組名又は番組名及び番組内容を同じ欄にし、且つ前記第１又は第２の番組の番組名又は番組名及び番組内容のいずれか一方を表示するよう処理する番組情報表示手段とを備えたことを特徴とする番組情報処理装置。
【請求項４】
請求項３記載において、
前記番組情報を格納する番組情報メモリを備え、
前記番組情報表示手段は、前記番組情報取得手段により取得された前記第１の番組の番組名又は番組名及び番組内容と、前記第２の番組の番組名又は番組名及び番組内容が同じである場合に、前記第１及び第２の番組の開始時間に関係なく、前記番組情報メモリに格納された前記番組情報を前記第１の番組と前記第２の番組とが隣に並ぶように並び替えて前記第１及び第２の番組の番組名又は番組名及び番組内容を同じ欄にし、且つ前記第１又は第２の番組の番組名又は番組名及び番組内容のいずれか一方を表示するよう処理することを特徴とする番組情報処理装置。
【発明の詳細な説明】
【０００１】
【発明の属する技術分野】
本発明は、放送される番組情報を受信し処理して表示する番組情報処理装置
に関し、特にその番組情報の表示に関する。
【０００２】
【従来の技術】
番組情報表示については、特開平01‐307944号公報に、画面に、番組時間単位の番組表そのものを表示させることが記載されている。また、特開平07‐297796号公報に、分野を分類する単語で検索し、分野毎に、画面に表示することが記載されている。
【０００３】
【発明が解決しようとする課題】
しかしながら、個々の番組がそのまま表示されるので、同一番組もそのまま複数表示され、表示される番組数が多くなると、目的とする番組情報を見つける参照回数が多くなるという課題がある。  また、予約を番組情報表示から行なう場合に、予約番組の重なりを確認することが大変であるという課題がある。
【０００４】
本発明の目的は、画面での番組情報の表示で、同一番組に対して、使い勝手の良い番組情報処理装置を提供することにある。
【０００５】
【課題を解決するための手段】
本発明は、放送される番組情報を受信し処理して表示する番組情報処理装置において、画面での番組情報の表示で、同一番組を、該番組を構成する複数項目の少なくとも一項目が共通表示のまとめ表示としたことを特徴とする番組情報処理装置である。
【０００６】
また、本発明は、前記共通表示が、番組名であることを特徴とする番組情報処理装置である。
【０００７】
また、本発明は、前記共通表示が、番組名および番組内容であることを特徴とする番組情報処理装置である。
【０００８】
また、本発明は、前記まとめ表示が、チャンネル番号単位の表示であることを特徴とする番組情報処理装置である。
【０００９】
また、本発明は、放送される番組情報を受信し処理して表示する番組情報処理装置において、画面での番組情報の表示で、同一番組を、予約に重なりがある旨と、重なりがない時間の番組を予約するかどうかの表示をし、予約するとの入力があった場合に、重なりがない時間の番組を予約可能としたことを特徴とする番組情報処理装置である。
【００１０】
また、本発明は、さらに、前記同一番組を、表示し、その中から放送時間の異なる同一番組を予約可能としたことを特徴とする番組情報処理装置である。
【００１１】
【発明の実施の形態】
以下、本発明の実施の形態を図面により説明する。
【００１２】
図１は、本発明をデジタル放送受信機に適応した場合の一実施の形態を示すブロック図である。
【００１３】
この実施の形態では、放送局から送出される番組放送を受信し受信信号を出力するアンテナ等の受信手段１と、受信信号を入力し、選局した番組の映像と音声データ等を出力する番組選局手段２と、映像と音声データを再生する映像音声データ再生手段３と、受信信号を入力し、番組情報を出力する番組情報出力手段４と、番組情報を入力し、番組情報を表示する番組情報表示手段５と、番組情報を格納しておく番組情報メモリ６と、再生した映像や音声、番組情報を出力するテレビ等の受像装置７と、選局のためのチャンネル番号入力や番組情報の表示等に使用するリモコン等の入力装置８とから構成されている。
【００１４】
入力装置８がリモコンである場合、リモコン８は、図２に示すように、番組を選択するためのカーソルキー８１と、番組情報を表示するための番組ガイドキー８２と、予約をする予約キー８３等から構成されている。
【００１５】
図1において、受信手段１は、受信信号を番組選局手段２、番組情報出力手段４へ渡す。番組選局手段２は、この信号から、リモコン８によって選局されたチャンネル番号の映像と音声データを取り出し、映像音声データ再生手段３へ渡す。映像音声データ再生手段３は、番組選局手段２から渡された映像と音声データを再生し、テレビ等の受像装置７に出力する。
【００１６】
番組情報出力手段４は、受信信号から、図３に示すような番組情報データを取出し、番組情報表示手段５に渡す。番組情報データを蓄積するために、番組情報メモリ６に渡してもよい。番組情報表示手段５は、図2のリモコン８の番組ガイドキー８２が押されたときに、このデータを、番組情報出力手段４から取得して、番組情報メモリ６に格納する。事前に番組情報データが蓄積されている場合は、番組情報メモリ６から取得してもよい。番組情報データ取得終了後、番組情報メモリ６から番組情報を受像装置７に表示する。
【００１７】
ここで、番組情報データは、図３に示すように、チャンネル番号を示すCH番号、番組名、番組内容、番組が放送される月日、開始時間、終了時間等の各項目から構成されている。
【００１８】
図１の番組情報メモリ６は、図５に示すように、番組情報データを格納する番組テーブルと、このテーブルに格納した番組情報データ数を示す変数n_guideから構成されている。
【００１９】
次に、番組情報表示手段５における番組情報データの取得の処理を、図４のフローチャート図に示す。最初に、番組テーブルに格納される番組情報データ数を示す変数n_guideと、取得する番組情報データ番号を示す変数ｉを初期化する（ステップ５０、５１）。
【００２０】
次に、ｉ番目の番組情報データを取得し、そのデータが取得出来たかどうか判断する（ステップ５２、５３）。番組情報データが取得できなかったきは、取得データがないので、番組テーブルに格納されたデータを用いて表示して終了する（ステップ５９）。
【００２１】
番組情報データが取得できたときには、番組テーブルにそのデータを追加する処理を行う。この場合、取得した番組情報データの番組名と番組内容に同じものが、番組テーブルに格納された番組情報の中にあるか調べる（ステップ５４）。
【００２２】
ない場合は、番組テーブルに格納された番組情報の末尾にその取得データを追加する（ステップ５５）。同じものがある場合は、同じものの最後にその取得データを追加する（ステップ５６）。データ追加処理が終ったら、番組テーブルのデータ数を加算し（ステップ５７）、次の取得データを取得するために番組情報データ番号をカウントアップ後、次のデータを取得する（ステップ５８）。
【００２３】
例えば、図３に示す番組情報データの場合、番組情報データが図５に示すように番組テーブルに格納される。
【００２４】
図７に、番組テーブルに格納された番組情報データを表示する処理を示す。最初に、表題を表示し、番組テーブルのデータ番号を示す変数ｉを初期化する（ステップ５９０、５９１）。次に、データがあるかどうか判断する（ステップ５９２）。データがない場合は図４の番組テーブル表示５９に戻り、終了する。データがある場合は、そのデータが先頭でなく、一つ前のデータと番組名と番組内容が同じかどうか判定する（ステップ５９３）。データが先頭でなく、一つ前のデータと番組名と番組内容が同じならば、同一番組なので、そのデータの番組名、番組内容を表示しないで、ＣＨ番号、月日、開始時間、終了時間だけを表示するよう処理する（ステップ５９５）。そうでない場合は、同一番組でないので、番組名、番組内容、CH番号、月日、開始時間、終了時間を表示するよう処理する（ステップ５９４）。次のデータを表示するためにデータ番号を示す変数ｉをカウントアップし、次のデータの判断を行う（ステップ５９６）。
【００２５】
このようにして、例えば、図５に示す番組テーブルの場合には、図６に示すように、同じ番組名と番組内容の番組情報を並べて表示するとともに、同じ番組名と番組内容を一つで共通の同じ番組名と番組内容で表示する。
【００２６】
この一実施の形態では、同一の番組と判断するために、番組名と番組内容の項目を用いたが、番組名の項目だけを用いて、図８に示すように、番組名を一つで共通の同じ番組名で表示するよう処理して表示してもよい。
【００２７】
以上記載したように、本実施の形態によれば、番組情報を表示するときに、同一番組をまとめて表示するので、再放送番組の確認が容易に出来、かつ目的とする番組情報を見つけるのに参照回数が少なくなる。
【００４２】
【発明の効果】
本発明によれば、画面での番組情報の表示で、同一番組に対して、使い勝手の良い番組情報処理装置を提供することができる。
【図面の簡単な説明】
【図１】  本発明による番組情報処理装置の一実施の形態を示すブロック図である。
【図２】  リモコンの外観を示す図である。
【図３】  図１の番組情報出力手段４から取出される番組情報データの一例を示す図である。
【図４】  図１の番組情報表示手段５における番組情報データの取得の処理を示すフローチャート図である。
【図５】  図１の番組情報メモリ６の割付けを示す図である。
【図６】  図１の番組情報表示手段５の番組情報の出力の一例である。
【図７】  図１の番組情報メモリ６に格納された番組テーブルを表示する処理を示すフローチャート図である。
【図８】  図１の番組情報表示手段５の番組情報の出力の他の例である。
【符号の説明】
１…受信手段、２…番組選局手段、３…映像音声データ再生手段、４…番組情報出力手段、５…番組情報表示手段、６…番組情報メモリ、７…受像装置、８…入力装置。
【図１】
0003857484.tif 000002
【図２】
0003857484.tif 000003
【図３】
0003857484.tif 000004
【図４】
0003857484.tif 000005
【図５】
0003857484.tif 000006
【図６】
0003857484.tif 000007
【図７】
0003857484.tif 000008
【図８】
0003857484.tif 000009